(57)【要約】【課題】三相誘導電器を用いて加熱装置を構成する場合において、装置構成及び組み立てを簡単にする。【解決手段】３本の脚鉄心部２１を三角配置し、それら脚鉄心部２１の上端部同士及び下端部同士を連結するヨーク鉄心部２２を有する三相誘導電器２と、被加熱物を内部に収容し、三相誘導電器２により直接通電される加熱容器３とを備え、三相誘導電器２の出力端子２３が三角配置され、加熱容器３の入力端子３１が三角配置され、加熱容器３を三相誘導電器２の上部又は下部に配置した状態において、三相誘導電器２の出力端子２３及び加熱容器３の入力端子３１が対向するように構成されている。【選択図】図１
2010277963.tif 000002
【特許請求の範囲】
【請求項１】
鉄心及び当該鉄心に巻装されたコイルからなる３本の脚鉄心部を三角配置し、それら脚鉄心部の上端部同士及び下端部同士をヨーク鉄心部により連結して構成された三相誘導電器と、
被加熱物を内部に収容し、前記三相誘導電器により直接通電される加熱容器と、を備え、
前記三相誘導電器の出力端子が三角形の頂点となる位置に配置され、前記加熱容器の入力端子が三角形の頂点となる位置に配置され、
前記加熱容器を前記三相誘導電器の上部又は下部に配置した状態において、前記三相誘導電器の出力端子及び前記加熱容器の入力端子が対向するように構成されている加熱装置。
【請求項２】
前記三相誘導電器の出力端子が正三角形の頂点となる位置に配置され、前記加熱容器の入力端子が正三角形の頂点となる位置に配置されている請求項１記載の加熱装置。
【請求項３】
前記三相誘導電器の出力端子が上下方向に延びる平板部を有し、前記加熱容器の入力端子が上下方向に延びる平板部を有し、
前記加熱容器を前記三相誘導電器の上部又は下部に配置した状態において、前記三相誘導電器の出力端子の平板部及び前記加熱容器の入力端子の平板部が対向するように構成されている請求項１又は２記載の加熱装置。
【請求項４】
前記加熱容器が有底筒形状をなすものであり、
前記加熱容器の側壁又は底壁に気液二相の熱媒体が封入されたジャケット室が形成されている請求項１、２又は３記載の加熱装置。
【請求項５】
前記加熱容器の側壁又は底壁に冷却用流体を流通させるための冷却用流体通路が形成されている請求項１、２、３又は４記載の加熱装置。
【発明の詳細な説明】
【技術分野】
【０００１】
本発明は、加熱装置に関するものである。
【背景技術】
【０００２】
従来の加熱装置としては、特許文献１や特許文献２に示すように、鉛、アルミニウム又はステンレス鋼等の被加熱物を収容する加熱容器と、この加熱容器に配設された複数の電極とを備え、複数の電極に電圧を印加することによって、被加熱物に直接通電し、その被加熱物を加熱処理するものがある。
【０００３】
一方で本出願人は、特許文献３に示すように、それぞれのコイルを巻装した脚鉄心部を三角形の各頂点に配置（三角配置）し、各脚鉄心の上下両側の端面を継鉄（ヨーク鉄心）で連結することにより構成される三相誘導電器を発明している。そして、上記の三相誘導電器を用いて加熱装置を構成する場合には、三相誘導電器の出力端子と容器に配設された電極の入力端子とを配線ケーブルを用いて接続することが通常である。
【０００４】
しかしながら、配線ケーブルを用いて接続する場合には、直接通電加熱装置の構成が複雑になってしまい、また、接続作業が煩雑になってしまうという問題がある。さらに、容器と三相誘導電器とを別々に配置するものであれば、設置面積が大きくなってしまうという問題もある。
【先行技術文献】
【特許文献】
【０００５】
【特許文献１】特開２００７−３５３１６号公報
【特許文献２】特開２００９−５７２５３号公報
【特許文献３】特開２００９−８８４２２号公報
【発明の概要】
【発明が解決しようとする課題】
【０００６】
そこで本発明は、上記問題点を一挙に解決するためになされたものであり、三相誘導電器を用いて加熱装置を構成する場合において、装置構成及び組み立てを簡単化することをその主たる所期課題とするものである。
【課題を解決するための手段】
【０００７】
すなわち本発明に係る加熱装置は、鉄心及び当該鉄心に巻装されたコイルからなる３本の脚鉄心部を三角配置し、それら脚鉄心部の上端部同士及び下端部同士をヨーク鉄心部により連結して構成された三相誘導電器と、被加熱物を内部に収容し、前記三相誘導電器により直接通電される加熱容器と、を備え、前記三相誘導電器の出力端子が三角形の頂点となる位置に配置され、前記加熱容器の入力端子が三角形の頂点となる位置に配置され、前記加熱容器を前記三相誘導電器の上部又は下部に配置した状態において、前記三相誘導電器の出力端子及び前記加熱容器の入力端子が対向するように構成されていることを特徴とする。
【０００８】
このようなものであれば、加熱容器を三相誘導電器の上部又は下部に配置した状態で三相誘導電器の出力端子及び加熱容器の入力端子を対向するように構成しているので、三相誘導電器の出力端子及び加熱容器の入力端子を簡単に接続することができ、加熱装置の組み立てを簡単化することができる。また、別途配線ケーブルを必要としないので、加熱装置の構成を簡単にすることができる。さらに、加熱容器を三相誘導電器の上部又は下部に配置しているので、加熱装置の設置面積を小さくすることができる。
【０００９】
加熱装置の組み立てを一層簡単化するためには、前記三相誘導電器の出力端子が正三角形の頂点となる位置に配置され、前記加熱容器の入力端子が正三角形の頂点となる位置に配置されていることが望ましい。
【００１０】
また、加熱容器を均一に加熱するためには、加熱容器の入力端子が、前記加熱容器の側周面に沿って周方向に等間隔に設けられていることが望ましい。
【００１１】
三相誘導電器の出力端子及び加熱容器の入力端子を確実に電気的に接触させて加熱容器を直接通電できるようにするためには、前記三相誘導電器の出力端子が上下方向に延びる平板部を有し、前記加熱容器の入力端子が上下方向に延びる平板部を有し、前記加熱容器を前記三相誘導電器の上部又は下部に配置した状態において、前記三相誘導電器の出力端子の平板部及び前記加熱容器の入力端子の平板部が対向するように構成されていることが望ましい。このとき、出力端子及び入力端子の間に平板状の中間部材を介在させて接続しても良いし、出力端子及び入力端子を直接接続するようにしても良い。
【００１２】
加熱容器の側壁又は底壁の温度分布を均一化させることによって被加熱物を均一な温度で加熱するためには、前記加熱容器が有底筒形状をなすものであり、前記加熱容器の側壁又は底壁に気液二相の熱媒体が封入されたジャケット室が形成されていることが望ましい。
【００１３】
加熱容器内に収容された被加熱物を冷却する又は温度調節を行うためには、前記加熱容器の側壁又は底壁に冷却用流体を流通させるための冷却用流体通路が形成されていることが望ましい。
【発明の効果】
【００１４】
このように構成した本発明によれば、三相誘導電器を用いて加熱装置を構成する場合において、加熱装置の構成及び組み立てを簡単にすることができる。
【図面の簡単な説明】
【００１５】
【図１】本発明の一実施形態に係る加熱装置の側面図である。
【図２】同実施形態に係る加熱装置の側面図である。
【発明を実施するための形態】
【００１６】
以下に本発明に係る加熱装置の一実施形態について図面を参照して説明する。
【００１７】
＜装置構成＞
本実施形態に係る加熱装置１００は、鉛、アルミニウム又はステンレス鋼等の被加熱物を直接通電することによって溶解するものであり、図１に示すように、三相誘導電器２及び加熱容器３を備えている。
【００１８】
以下各部について説明する。
三相誘導電器２は、図１及び図２に示すように、鉄心２１ａ及び当該鉄心２１ａに巻装されたコイル２１ｂからなる３本の脚鉄心部２１を正三角形の各頂点に配置（三角配置）し、それら脚鉄心部２１の上端部同士及び下端部同士をヨーク鉄心部２２により連結して構成されている。つまり、３本の脚鉄心部２１は、１２０度等配されている。より詳細には、３本の脚鉄心部２１の中心軸が正三角形の頂点に位置するように配置されている。
【００１９】
また、三相誘導電器２の３つの出力端子２３は、図２に示すように、三相誘導電器２の中心軸に対して回転対称となるように正三角形の各頂点に配置（三角配置）されており、詳細には、各出力端子２３の中心が正三角形の頂点に位置するように配置されている。つまり、各出力端子２３の中心は、１２０度等配され、隣接する脚鉄心部２１から等距離の位置に配置されている。
【００２０】
各出力端子２３は、隣接する２つの脚鉄心部２１のコイル２１ｂ（Ｕ相及びＶ相、Ｖ相及びＷ相、Ｗ相及びＵ相）の端部が接続された金属製の平板部２３１を備えている。また、出力端子２３の平板部２３１は、脚鉄心部２１の中心軸方向、つまり上下方向に沿って設けられている。
【００２１】
加熱容器３は、被加熱物を内部に収容し、三相誘導電器２により直接通電される金属製のものである。また、加熱容器３は、有底筒形状をなすものであり、その側壁の外面に入力端子３１が周方向に沿って等間隔となるように設けられている。入力端子３１は、図２に示すように、前記三相誘導電器２の出力端子２３に対向するように、加熱容器３の中心軸に対して回転対称となるように正三角形の各頂点に配置（三角配置）されている。つまり、各入力端子３１の中心は、１２０度等配されている。また、入力端子３１は、断面概略Ｔ字形状をなすものであり、その平板部３１１が出力端子２３の平板部２３１と略平行となるように上下方向に沿って設けられている。
【００２２】
そして、加熱容器３を三相誘導電器２上に直接又はスペーサ（不図示）を介して配置、或いは三相誘導電器２の上部に保持部材（不図示）を介して配置した状態において、三相誘導電器２の出力端子２３の平板部２３１と加熱容器３の入力端子３１の平板部３１１とが対向するように構成されている。なお、このとき、加熱容器３の中心軸と三相誘導電器２の中心軸とは略一致している。本実施形態では、三相誘導電器２の出力端子２３及び加熱容器３の入力端子３１の間に平板状の中間部材４を介して接続している。このように構成することによって、三相誘導電器２と加熱容器３とはデルタ−デルタ結線される。そして三相誘導電器２によって加熱容器３の入力端子３１に電圧を印加すると、加熱容器３において各出力端子３１間の側壁に電流が流れて、ジュール熱によって加熱容器３が加熱される。これによって内部に収容されている被加熱物を加熱、溶解することができる。
【００２３】
なお、加熱容器３の底壁中央部には、溶解した被加熱物を外部に取り出すための取出管（不図示）が接続されている。この取出管は、三相誘導電器２の脚鉄心部２１間に形成された空隙内を通るように設けられている。
【００２４】
また、本実施形態の加熱容器３は、その側壁に中心軸に沿って上下方向に気液二相の熱媒体が封入されたジャケット室（不図示）が形成されている。これにより、加熱容器３の側壁において上下方向の温度を均一にすることができる。
【００２５】
さらに、加熱容器３の側壁に中心軸に沿って上下方向に冷却用流体を流通させるための冷却用流体通路（不図示）が形成されている。これにより、加熱容器３を冷却する場合に自然放冷の場合に比べて冷却時間を短縮することができる。
【００２６】
＜本実施形態の効果＞
このように構成した本実施形態に係る加熱装置１００によれば、加熱容器３を三相誘導電器２の上部に配置した状態で三相誘導電器２の出力端子２３及び加熱容器３の入力端子３１が対向するように構成しているので、三相誘導電器２の出力端子２３及び加熱容器３の入力端子３１を簡単に接続することができ、加熱装置１００の組み立てを簡単化することができる。また、別途配線ケーブルを必要としないので、加熱装置１００の構成を簡単にすることができる。さらに、加熱容器３を三相誘導電器２の上部に配置しているので、加熱装置１００の設置面積を小さくすることができる。
【００２７】
なお、本発明は前記実施形態に限られるものではない。
例えば、前記実施形態では、加熱容器が三相誘導電器上に配置される構成としているが、加熱容器を三相誘導電器の下部に配置する構成としても良い。
【００２８】
また、前記実施形態では、三相誘導電器の出力端子及び加熱容器の入力端子を中間板を介して接続しているが、より一層加熱装置の組み立て及び構成を簡単にするためには、三相誘導電器の出力端子及び加熱容器の入力端子が直接面接触するように構成しても良い。
【００２９】
さらに、前記実施形態では、加熱容器が金属製からなり、容器全体がジュール熱によって発熱するように構成しているが、加熱容器に複数の電極を設け、この電極によって加熱容器内に収容された被加熱物に直接通電するようにしても良い。
【００３０】
加えて、出力端子及び入力端子の形状としては、平板状に限られず、その他、種々の形状にすることができる。
【００３１】
その上、前記実施形態では、ジャケット室及び冷却用流体通路は、加熱容器の側壁に形成されたものを例示しているが、ジャケット室及び冷却用流体通路を加熱容器の底壁に形成しても良い。
【００３２】
さらに加えて、前記実施形態の加熱容器の底壁は平板状をなすものであったが、湾曲した形状であっても良い。
【００３３】
その他、本発明は前記実施形態に限られず、その趣旨を逸脱しない範囲で種々の変形が可能であるのは言うまでもない。
【符号の説明】
【００３４】
１００・・・加熱装置
２    ・・・三相誘導電器
２１ａ・・・鉄心
２１ｂ・・・誘導コイル
２１  ・・・脚鉄心部
２２  ・・・ヨーク鉄心部
２３  ・・・三相誘導電器の出力端子
３    ・・・加熱容器
３１  ・・・加熱容器の入力端子
【図１】
2010277963.tif 000003
【図２】
2010277963.tif 000004